(57)【要約】      （修正有）【課題】傾斜角度及び上下昇降調整機能を有するチェアヘッドレスト構造を提供する。【解決手段】ヘッドレストと、ヘッドレストと椅子の背の間に取り付けられ且つヘッドレストと椅子の背を作動軸を軸心として相対回転させ、互いに枢着する第１構成部材２１と第２構成部材２２を含み、第１構成部材２１は、二端２１２ａ、２１２ｂを有し、間隔を置いて分離した枢着部２１２とし、第２構成部材２２は、二端２２２ａ、２２２ｂを有し、間隔を置いて分離した被せ合わせ部２２２とし、枢着部２１２が被せ合わせ部２２２に被さり、且つ被せ合わせ部２２２と枢着部２１２は、作動軸を軸心として相対回転できる枢着アセンブリ２０と、作動軸の軸方向に沿って第２構成部材２２の二端２２２ａ、２２２ｂの間に取り付けられ、枢着部２１２と被せ合わせ部２２２を一つに接続することに用いる接合構成部材３１と、被せ合わせ部２２２の二端２２２ａ、２２２ｂを作動軸に沿って相対的に離れるようにパッキングを形成できる作動アセンブリ３２とを含む固定アセンブリと、を含む。【選択図】図８
0003205435.tif 000002
【実用新案登録請求の範囲】
【請求項１】
形状が上下垂直磁方向から見て凹面であり、水平横軸方向から見て凸面であり、前側構成部材、後側構成部材及び該前側構成部材と該後側構成部材との間に設けられる中間構成部材１２を含み、該前側構成部材及び該中間構成部材は、一体に結合され、該後側構成部材の縦方向に対して上下移動することができ、該中間構成部材及び該後側構成部材１３の間にダンピング機構４０を設け、該前側構成部材及び該中間構成部材が該後側構成部材に対して上下移動する時、緩衝抵抗力を提供させ、該中間構成部材及び該後側構成部材の間にガイド限位機構を設け、該前側構成部材及び該中間構成部材が該後側構成部材に対して上下移動する時、ガイド限位効果を提供させる、ヘッドレストと、
一端に椅子の背に取り付け固定可能な固定部を設け、該固定部に対応する他端に枢着部を設け、該枢着部は間隔をおいて分離された２つの端を有する第１構成部材と、
一端にヘッドレストを取り付け固定可能な取り付け部を設け、該取り付け部に対応する他端に該枢着部に対応して被さり合う被せ合わせ部を設け、該被せ合わせ部に間隔をおいて分離された２つの端を有し、且つそれぞれ該第１構成部材の枢着部の２つの端と対応し、該被せ合わせ部及び該枢着部は、活動的にピボット回転でき、作動軸を軸心として該第１構成部材と相対回転させる第２構成部材と、
を含む枢着部材と、
該作動軸に沿って配置され、該第１構成部材の枢着部の２つの端を第２構成部材の被せ合わせ部の２つの端と一つに接続することに用いる接合構成部材と、
該第２構成部材の被せ合わせ部の２つの端を該鎖同軸に沿って相対して離れさせてパッキングを形成することができ、該接合構成部材に順に被さり合う作動部材、第１受動部材及び第２受動部材を含み、該作動部材は、該鎖同軸の周りをピボット回転することができ、該作動部材は、該第１受動部材３４により該第１構成部材２１の枢着部２１２の２つの端のうち一端に接続し、且つ該第２受動部材３５によって第２構成部材の被せ合わせ部の２つの端のうち一端に接続し、該作動部材は、相反する２つの端を有し、該作動部材の第１端は、該第１構成部材の枢着部の２つの端のうち第１の該端に接触することに用いられ、該作動部材の第２の端は、螺旋凸縁表面を設ける作動アセンブリと、
を含む固定アセンブリと、
を含むチェアヘッドレスト構造。
【請求項２】
前記固定アセンブリの作動部材、第１受動部材及び第２受動部材の間隔は、該作動部材、該第１受動部材及び該第２受動部材を作動する時、牽引力を該第２構成部材の被せ合わせ部の２つの端に加えることに適する請求項１に記載のチェアヘッドレスト構造。
【請求項３】
前記第１受動部材３４に接続する該第１構成部材の枢着部の２つの端のうち一端に第１収容空間を設け、該第１収容空間内に相互に間隔をおいた少なくとも２つの第１凸ブロックを設け、該第１受動部材は、該第１収容空間内の第１凸ブロックに対応し、該第１受動部材の軸方向に沿って該第１凸ブロックと互いに合わさることができる少なくとも２つの凹溝を設置する請求項１に記載のチェアヘッドレスト構造。
【請求項４】
前記第２受動部材に接続する該第２構成部材の被せ合わせ部の２つの端のうちの一端に第２収容空間を設け、該第２収容空間内に相互に間隔をおいた少なくとも２つの第２凸ブロックを設け、該第２受動部材は、該第２収容空間の第２凸ブロックに対応して該第２受動部材の軸方向に沿って該第２凸ブロックと相互に合わさることができる少なくとも２つの凹溝を設置する請求項１に記載のチェアヘッドレスト構造。
【請求項５】
該第１構成部材の枢着部の２つの端中の第２の該端に間隔をおいて第１係止部及び第２係止部を設け、該第２構成部材は、該枢着部の第２の該端の第１係止部及び第２係止部に対応する第３凸ブロックを設け、且つ該第３凸ブロックは、該枢着部の２つの端中の第２の該端の第１係止部及び第２係止部の回転経路上に位置する請求項１に記載のチェアヘッドレスト構造。
【請求項６】
前記第１構成部材の枢着部の２つの端中の第１の該端に間隔をおいて第１係止部及び第２係止部を設け、該作動部材の第１の端は、該枢着部の第１の該端の第１係止部及び第２係止部に対応する第４凸ブロックを設け、且つ該第４凸ブロックは、該枢着部の２つの端中の第１の該端の第１係止部及び第２係止部の回転経路上に位置する請求項１に記載のチェアヘッドレスト構造。
【請求項７】
前記第１受動部材は、相反する２つの端を有し、該第１受動部材の一端に螺旋凸縁表面を設け、該第１受動部材の螺旋凸縁表面は、該作動部材の螺旋凸縁表面と対称し、且つ該作動部材の該螺旋凸縁表面と該作動部材の該螺旋凸縁表面とが合わさるよう設計され、該第１受動部材の他端に接触部を設け、該第２受動部材の一端に接触することに用いられ、該第２受動部材は、２つの端を有し、該第２受動部材の第１の端は、該第１受動部材の接触部に接触することに用いられ、該第２受動部材の第２の端は、該第２構成部材の被せ合わせ部の２つの端中の一端に接触することに用いられる請求項１に記載のチェアヘッドレスト構造。
【請求項８】
前記第１受動部材３４における軸方向断面は、該螺旋凸縁表面を設けた側から該接触部を設けた側への方向に沿って徐々に小さくなり、該第２受動部材の第１の端に更に、内向きの溝孔を設け、該第１受動部材の接触部を収納させることができる請求項７に記載のチェアヘッドレスト構造。
【請求項９】
前記接合構成部材は、一端が該第１構成部材の枢着部の２つの端を通過して該第２構成部材の被せ合わせ部の２つの端と接続する第１節合部材と、
ナットにより該第１接合部時ａの該端を螺合する第２節合部材と、
を含む請求項１に記載のチェアヘッドレスト構造。
【請求項１０】
前記前側構成部材は、相互に間隔をおいた少なくとも２つの嵌合部を設け、該嵌合部は、通孔を含み、該通孔の辺縁上に少なくとも１つの凹溝を設け、該中間構成部材は、該前側構成部材の嵌合部に対応して嵌合する少なくとも２つの被嵌合部を設け、該被嵌合部は、凸ブロックを含み、該凸ブロック上に該通孔の凹溝と相互に嵌合可能な少なくとも１つの突起を設け、該前側構成部材及び該中間構成部材は、嵌合部と被嵌合部によって相互に嵌合後に一体になる請求項１に記載のチェアヘッドレスト構造。
【請求項１１】
前記ダンピング機構は、少なくとも２つのダンパー及び少なくとも２つのラックを含み、各ダンパー及び各ラックは、互いに噛み合い、そのうち、該少なくとも２つのダンパーは、左右に間隔をおいて該中間構成部材の該後側構成部材に向いた一面に設置され、該少なくとも２つのラックは、該少なくとも２つのダンパーに対応して該後側構成部材の該中間構成部材に向いた一面に縦方向に設置される請求項１に記載のチェアヘッドレスト構造。
【請求項１２】
前記ガイド限位機構は、少なくとも２つの位置決めブロックと、少なくとも２つのストリップ孔と、を含み、前記位置決めブロックは、前記ストリップ孔を通過し、且つストリップ孔の長さ方向に沿って相対移動でき、そのうち、該少なくとも２つの位置決めブロックは、左右に間隔をおいて該後側構成部材の該中間構成部材に向いた一面に設置され、該少なくとも２つのストリップ孔は、該少なくとも２つの位置決めブロックに対応して該中間構成部材上に縦方向に設置され、該ガイド限位機構は、更に、少なくとも１つの位置決め部材を含み、該位置決め部材は、該位置決めブロックに相反し、該ストリップ孔の他側に配置され、更に接続部材を利用し、該位置決め部材と該位置決めブロックを一つに接続する請求項１に記載のチェアヘッドレスト構造。
【考案の詳細な説明】
【技術分野】
【０００１】
本考案は、チェアヘッドレスト構造に関し、特に、傾斜角度調整機能及び上下昇降調整機能を有するチェアヘッドレストに関する。
【背景技術】
【０００２】
一般にヘッドレストを有する椅子は、使用者が座る時に頭頸部を後ろへ寄りかからせることができるようにするによって快適性を向上させており、従来の構造において、ただ椅子の背において支持構造により椅子の背とヘッドレストを固定するが、このタイプのヘッドレスト構造の欠陥は、（ａ）支持構造が椅子の背に固定され、ヘッドレストの上下位置の調整を行うことができず、異なる使用者の身長に合わせて調整することができず、従って、有効な頭部の支持及び寄りかかりの作用を提供することができない；（ｂ）ヘッドレストは、支持構造上に固定され、ヘッドレストの傾斜角度を調整することができず、各使用者の異なる頭頚形態及び使用状態に適用することができない。
【先行技術文献】
【特許文献】
【０００３】
【特許文献１】実用新案登録第3129335号公報
【考案の概要】
【考案が解決しようとする課題】
【０００４】
本考案の目的は、使用者の頭頚の負荷を有効に軽減し、体格の大きさ又は形態の異なる人に、長時間座っている時にその頭頚の負荷を軽減させることができるチェアヘッドレスト構造を提供することにある。
【０００５】
本考案のもう１つの目的は、使用者の要求に応じてヘッドレストの傾斜角度を調整し、上下の昇降を調整でき、使用者に最適な寄りかかり位置を提供するチェアヘッドレスト構造を提供することにある。
【０００６】
本考案の更にもう１つの目的は、安定性、耐久性が高く、メンテナンスし易く、構造が簡単で、経済的且つ操作が容易なチェアヘッドレスト構造を提供することにある。
【課題を解決するための手段】
【０００７】
本考案のチェアヘッドレスト構造は、
形状が上下垂直磁方向から見て凹面であり、水平横軸方向から見て凸面であり、前側構成部材、後側構成部材及び該前側構成部材と該後側構成部材との間に設けられる中間構成部材１２を含み、該前側構成部材及び該中間構成部材は、一体に結合され、該後側構成部材の縦方向に対して上下移動することができ、該中間構成部材及び該後側構成部材１３の間にダンピング機構４０を設け、該前側構成部材及び該中間構成部材が該後側構成部材に対して上下移動する時、緩衝抵抗力を提供させ、該中間構成部材及び該後側構成部材の間にガイド限位機構を設け、該前側構成部材及び該中間構成部材が該後側構成部材に対して上下移動する時、ガイド限位効果を提供させる、ヘッドレストと、
一端に椅子の背に取り付け固定可能な固定部を設け、該固定部に対応する他端に枢着部を設け、該枢着部は間隔をおいて分離された２つの端を有する第１構成部材と、
一端にヘッドレストを取り付け固定可能な取り付け部を設け、該取り付け部に対応する他端に該枢着部に対応して被さり合う被せ合わせ部を設け、該被せ合わせ部に間隔をおいて分離された２つの端を有し、且つそれぞれ該第１構成部材の枢着部の２つの端と対応し、該被せ合わせ部及び該枢着部は、活動的にピボット回転でき、作動軸を軸心として該第１構成部材と相対回転させる第２構成部材と、
を含む枢着部材と、
該作動軸に沿って配置され、該第１構成部材の枢着部の２つの端を第２構成部材の被せ合わせ部の２つの端と一つに接続することに用いる接合構成部材と、
該第２構成部材の被せ合わせ部の２つの端を該鎖同軸に沿って相対して離れさせてパッキングを形成することができ、該接合構成部材に順に被さり合う作動部材、第１受動部材及び第２受動部材を含み、該作動部材は、該鎖同軸の周りをピボット回転することができ、該作動部材は、該第１受動部材３４により該第１構成部材２１の枢着部２１２の２つの端のうち一端に接続し、且つ該第２受動部材３５によって第２構成部材の被せ合わせ部の２つの端のうち一端に接続し、該作動部材は、相反する２つの端を有し、該作動部材の第１端は、該第１構成部材の枢着部の２つの端のうち第１の該端に接触することに用いられ、該作動部材の第２の端は、螺旋凸縁表面を設ける作動アセンブリと、
を含む固定アセンブリと、
を含む。
【考案の効果】
【０００８】
本考案のチェアヘッドレスト構造は、使用者の頭頚の負荷を有効に軽減し、体格の大きさ又は形態の異なる人に、長時間座っている時にその頭頚の負荷を軽減させることができる。
【図面の簡単な説明】
【０００９】
【図１】本考案のチェアヘッドレスト構造の外観立体図である。
【図２】本考案のチェアヘッドレスト構造のもう１つの視角の外観立体図である。
【図３】図１の俯瞰図である。
【図４】図１の側面図である。
【図５】図１のヘッドレストの分解図である。
【図６】図５のヘッドレストの詳細分解図である。
【図７Ａ】本考案の側面図に基づく固定位置にある状態を示す図である。
【図７Ｂ】本考案の側面図に基づく緩め位置にある状態を示す図である。
【図８】図２の枢着アセンブリ及び固定アセンブリの分解図である。
【図９】図８の枢着アセンブリ及び固定アセンブリの詳細分解図である。
【図１０】図２の縦方向の断面図である。
【図１１】本考案の第１構成部材の外観立体図である。
【図１２Ａ】それぞれ本考案の作動部材の２つの相反する視角の立体図である。
【図１２Ｂ】それぞれ本考案の作動部材の２つの相反する視角の立体図である。
【図１３Ａ】それぞれ本考案の第１受動部材の２つの相反する視角の立体図である。
【図１３Ｂ】それぞれ本考案の第１受動部材の２つの相反する視角の立体図である。
【図１４Ａ】それぞれ本考案の第２受動部材の２つの相反する視角の立体図である。
【図１４Ｂ】それぞれ本考案の第２受動部材の２つの相反する視角の立体図である。
【考案を実施するための形態】
【００１０】
図１〜図１１に示すように、本考案のチェアヘッドレスト構造１は、ヘッドレスト１０、枢着アセンブリ２０及び固定アセンブリ３０を含む。
【００１１】
該ヘッドレスト１０の形状は、上下縦方向から見て人体に対して凹面であり（図３参照）、水平横方向から見て凸面である（図４参照）。該ヘッドレスト１０は、順に前側構成部材１１、中間構成部材１２及び後側構成部材１３を含む。該前側構成部材１１は、少なくとも２つの相互に間隔おいた嵌合部１１１を設け、各嵌合部１１１は、これに制限するものではないが、通孔を貫通するものであることができる。該中間構成部材１２は、嵌合部１１１に対応する少なくとも２つの被嵌合部１２１を設け、各被嵌合部１２１は、これに制限するものではないが、凸ブロックであることができる。該前側構成部材１１及び該中間構成部材１２は、嵌合部１１１と被嵌合部１２１によって相互に嵌合後に一体になり、且つ該後側構成部材１３に対して縦方向上下に変位することができる。図５に示すように、各嵌合部１１１は、通孔１１２を設け、該通孔１１２の辺縁上に少なくとも１つの凹溝１１３を設ける。各被嵌合部１２１は、凸ブロック１２２を含み、該凸ブロック１２２上に前記凹溝１１３と相互に嵌合可能な少なくとも１つの突起１２３を設ける。嵌合部１１１及び被嵌合部１２１が相互に嵌合する時、凸ブロック１２２の突起１２３と通孔１１２の凹槽１１３は、相互に嵌合する。そのうち、突起１２３は、凹溝１１３中に弾性的に嵌合する。
【００１２】
図５、図６に示すように、該中間構成部材１２及び該後側構成部材１３の間は、ダンピング機構４０を設け、該ダンピング機構４０は、該前側構成部材１１及び該中間構成部材１２が該後側構成部材１３に対して上、下に変位する時、干渉抵抗力を提供し、その変位の安定性を増進する。該ダンピング機構４０は、少なくとも２つのダンパー４１及び少なくとも２つのラック４２を含み、各ダンパー４１及び各ラック４２は、互いに噛み合い、図５、図６に示すように、該少なくとも２つのダンパー４１は、左右に間隔を置いて該中間構成部材１２の該後側構成部材１３へ向いた一面上に設置され、該少なくとも２つのラック４２は、該少なくとも２つのダンパー４１に対応して縦方向且つ平行に間隔をおいて該後側構成部材１３の該中間構成部材１２に向いた一面上に設置され、しかしながら、この非制限性実施例中、本考案の意義において、ダンパー４１及びラック４２の設置位置は、交換可能であり、従って、この方式で発生するダンピング効果、及び該前側構成部材１１と該中間構成部材１２の該後側構成部材１３に対する上下移動を操作する時、この操作により該前側構成部材１１及び該中間構成部材１２の該後側構成部材１３に対する高さの移動を駆動することにより、該ヘッドレスト１０を調整して使用者を寄りかからせる使用高さの調整を達成する。
【００１３】
該中間構成部材１２と該後側構成部材１３の間は、ガイド限位機構５０を更に設け、該ガイド限位機構５０は、該前側構成部材１１及び該中間構成部材１２の該後側構成部材１３に対する上下移動時にガイド限位效果を提供するように適用され、その移動の正確性及び安全性を向上する。該ガイド限位機構５０は、少なくとも２つの位置決めブロック５１及び少なくとも２つのストリップ孔５２を設け、位置決めブロック５１は、ストリップ孔５２を通過し、且つストリップ孔５２の長さ方向に沿って相対変位し、図５、図６に示すように、該少なくとも２つの位置決めブロック５１は、左右に間隔を置いて該後側構成部材１３の該中間構成部材１２に向いた一面上に設置され、該少なくとも２つのストリップ孔５２は、該少なくとも２つの位置決めブロック５１に対応して縦方向且つ平行に間隔を置いて該中間構成部材１２上に設置され、しかしながら、この非制限性実施例中、位置決めブロック５１とストリップ孔５２の設置位は、交換可能であり、従って、この方式で発生するガイド限位効果、及び該前側構成部材１１と該中間構成部材１２の該後側構成部材１３に対する上下移動を操作する時、更に正確で更に安全に該前側構成部材１１及び該中間構成部材１２の該後側構成部材１３に対する高さを操作調整するよう駆動させることにより、該ヘッドレスト１０の使用者を寄りかからせる使用高さの調整を達成する。
【００１４】
位置決めブロック５１のストリップ孔５２中の変位時の安定性を向上する為、該ガイド限位機構５０は、更に、少なくとも１つの位置決め部材５３を含み、該位置決め部材５３は、位置決めブロック５１に相反し、ストリップ孔５２の他側に配置され、位置決め部材５３及び位置決めブロック５１は、更に接続部材５４を利用し、位置決め部材５３及び位置決めブロック５１を１つに接続し、図５、図６に示すように、位置決め部材５３及び位置決めブロック５１は、それぞれストリップ孔５２の相反する両側に配置され、且つ挟持形態を形成する。これにより、該前側構成部材１１及び該中間構成部材１２の該後側構成部材１３に対する高さの変位を操作する時、位置決め部材５３及び位置決めブロック５１の結合により、位置決めブロック５１のストリップ孔５２中の変位時を更に安定して移動できるように、該ヘッドレスト１０の高さを調整する移動の安定性の向上を達成する。前側構成部材１１上に使用者頭部を寄りかからせるクッション（図示せず）を設置する時、該前側構成部材１１及び中間構成部材１２は、各嵌合部１１１の通孔１１２上の凹溝１１３、及び各被嵌合部１２１の凸ブロック１２２上の突起１２３により、該前側構成部材１１及び該中間構成部材１２の組み立てを更にようにし、上記クッションの設置を受けて該前側構成部材１１及び該中間構成部材１２の組み立てに影響を及ぼすことがない。
【００１５】
該枢着アセンブリ２０は、該ヘッドレスト１０及び椅子の背(図示せず)の間に取り付けられ、第１構成部材２１及び第２構成部材２２を含む。該第１構成部材２１の一端に固定部２１１を設け、椅子の背（図示せず）に取り付け固定させ、該固定部２１１の他端に対応して枢着部２１２を設け、該枢着部２１２は、間隔を置いて分離し、且つ対称２つの端２１２ａ，２１２ｂを有する。該枢着部２１２の２つの端２１２ａ，２１２ｂ中のうちの該端２１２ｂは、第１収容空間２１３を設け、該第１収容空間２１３内に相互に間隔をおいた少なくとも２つの第１凸ブロック２１４を設ける。該端２１２ａは、周縁上に第１係止部２１５ａ及び第２係止部２１５ｂを、間隔をおいて設ける（図１１参照）。第２の該端２１２ｂの周縁上に間隔をおいて第１係止部２１６ａ及び第２係止部２１６ｂを設ける（図８、図９参照）。
【００１６】
該第２構成部材２２の一端に取り付け部２２１を設け、該ヘッドレスト１０の該該後側構成部材１３に取り付け固定させ、該取り付け部２２１の他端該第１構成部材２１の枢着部２１２に対応して被さり合う被せ合わせ部２２２を対応して設け、該被せ合わせ部２２２は、間隔をおいて分離する２つの端２２２ａ，２２２ｂを有し、本考案の意義において、該被せ合わせ部２２２の２つの端２２２ａ，２２２ｂは、作動軸Ｘに沿って移動して相対的に遠く離れ、拡張状態を形成する。該被せ合わせ部２２２の２つの端２２２ａ，２２２ｂは、それぞれ該第１構成部材２１の枢着部２１２の２つの端２１２ａ，２１２ｂと対応し、該被せ合わせ部２２２と該枢着部２１２は、活動的にピボット回転することができ、該第２構成部材２２及び第１構成部材２１に作動軸Ｘを軸心として相対回転させる。該第２構成部材２２の被せ合わせ部２２２の２つの端２２２ａ，２２２ｂ内に相互に間隔おいた少なくとも２つの第２凸ブロック２２４を設ける。該第２構成部材２２は、更に第３凸ブロック２２５を設け、該第３凸ブロック２２５は、該第１構成部材２１の枢着部２１２の該端２１２ｂ上の該第１係止部２１６ａ及び該第２係止部２１６ｂに対応し、第１係止部２１６ａ及び第２係止部２１６ｂに当接させ、且つ該第３凸ブロック２２５は、該枢着部２１２の該端２１２ｂの第１係止部２１６ａ及び第２係止部２１６ｂの回転経路上に位置する。従って、該第２構成部材２２が該第１構成部材２１に対して回転する時、第１係止部２１６ａ及び第２係止部２１６ｂにより、該第２構成部材２２の第３凸ブロック２２５を第１係止部２１６ａ及び第２係止部２１６ｂの間で限位移動させることができ、該第２構成部材２２の該第１構成部材２１に対する回転角度を制限することに用いられる。
【００１７】
該固定アセンブリ３０は、作動アセンブリ３２を含む。この実施例において、該作動軸Ｘと接合構成部材３１は、作動アセンブリ３２の軸と重なり合う。該固定アセンブリ３０は、該第１構成部材２１の枢着部２１２の２つの端２１２ａ，２１２b及び該第２構成部材２２に被せ合わせ部２２２の２つの端２２２ａ，２２２Ｂの間に取り付けられる。緩め位置において（図７Ｂ参照）、使用者は、該第２構成部材２２の該第１構成部材２１に対する傾斜角度の位置の位置決めを調整することができ、且つ続いて該第２構成部材２２を所望の位置、即ち、固定位置中（図７Ａ参照）の所望の角度位置に固定することができる。
【００１８】
該接合構成部材３１は、該作動軸Ｘに沿って該作動アセンブリ３２を貫通し、且該第１構成部材２１の枢着部２１２の２つの端２１２ａ，２１２ｂ及び該第２構成部材２２の被せ合わせ部２２２の２つの端２２２ａ，２２２ｂを通過し、該第１構成部材２１の枢着部２１２の２つの端２１２ａ，２１２ｂと該第２構成部材２２の被せ合わせ部２２２の２つの端２２２ａ，２２２ｂを一つに接続させる。図８、図９に示すように、該接合構成部材３１は、一端が該第１構成部材２１の枢着部２１２の２つの端２１２ａ，２１２ｂを通過して該第２構成部材２２の被せ合わせ部２２２の２つの端２２２ａ，２２２ｂと接続する第１接合部材３１1(例えば、螺子)と、第２節合部材３１２（例えば、ナット）と、を含み、ナットが該第１節合部材３１１の該端に螺合する。この非制限性実施例において、作動軸Ｘは、第１接合部材３１１(例えば、螺子)及び第２接合部材３１２(例えば、ナット)の軸と重なり合う。上記から分かるように、該接合構成部材３１は、長さを調整することができる。
【００１９】
該作動アセンブリ３２は、該第２構成部材２２の被せ合わせ部２２２の２つの端２２２ａ，２２２ｂに該作動軸Ｘ軸に沿って相対的に離れる方向へ拡張パッキングを形成できるようにすることに用いられる。該作動アセンブリ３２は、作動部材３３、第１受動部材３４及び第２受動部材３５を含み、該作動部材３３、該第１受動部材３４及び該第２受動部材は、該接合構成部材３１上に順に被さり、且つ該接合構成部材３１と同軸を形成する。更に詳細には、該チェアヘッドレスト構造１は、該接合構成部材３１及び該作動アセンブリ３２の同軸を利用するとともに、該作動部材３３、該第１受動部材３４及び該第２受動部材３５の間の間隔設計を利用し、それを作動時に十分な張力の下又は十分な牽引力の下において、張力（又は牽引力）を該第２構成部材２２の被せ合わせ部２２２の２つの端２２２ａ，２２２ｂに加えることができるようにする。
【００２０】
図１２Ａ、図１２Ｂを参照し、該作動部材３３は、該作動軸Ｘの周りをピボット回転でき、且つ該第１受動部材３４に対してピボット回転し、該作動部材３３は、２つの端３３ａ，３３ｂを有し、そのうち、第１の端３３ａは、該第１構成部材２１の枢着部２１２の該端２１２ａに接触することに用い、第２端３３ｂは、該第１受動部材３４に接触することに用い、該第１受動部材３４によって該第１構成部材２１の枢着部２１２の該端２１２ｂに接続し、且つ該第２受動部材３５によって該第２構成部材２２の被せ合わせ部２２２の該端２２２ｂに接続する。該作動部材３３の第２の端３３ｂ（即ち、該第１受動部材３４へ向いた端）は、螺旋凸縁表面３３１を設け、該作動部材３３の第１の端３３ａは、更に、第４凸ブロック３２を設け、該第４凸ブロック３３２は、該第１構成部材２１の枢着部２１２の該端２１２ａ上の該第１係止部２１５ａ及び該第２係止部２１５ｂに対応し、且つ該第４凸ブロック３３２は、該枢着部２１２の該端２１２ａの第１係止部２１５ａ及び第２係止部２１５ｂの回転経路上に位置する。従って、該作動部材３３が該第１構成部材２１に対して回転する時、第１係止部２１５ａ及び第２係止部２１５ｂにより、該作動部材３３の第４凸ブロック３３２を第１係止部２１５ａ及び第２係止部２１５ｂの間で限位移動させることができ、該作動部材３３の第１構成部材２１に対する回転角度を制限することに用いられる。
【００２１】
図１３Ａ、図１３Ｂを参考とし、該第１受動部材３４は、相反方向を呈する２つの端を有し、該第１受動部材３４の該端（即ち、該作動部材３３の螺旋凸縁表面３３１へ向いた端）は、螺旋凸縁表面３４１を設け、該第１受動部材３４の螺旋凸縁表面３４１及び作動部材３３の螺旋凸縁表面３３１を対称させ、且つ設計により、該作動部材３３の螺旋凸縁表面３３１と合わせ、相反する他の該端に接触部３４２を設け、該第２受動部材３５の端に接触することに用いる。また、該第１受動部材３４は、該枢着部２１２の該端２１２ｂの第１収容空間２１３上の第１凸ブロック２１４に対応し、該第１受動部材３４の軸方向（即ち、作動軸Ｘ方向）に沿って前記第１凸ブロック２１４と相互に合わさることができる少なくとも２つの凹溝３４３を設置し、第１凸ブロック２１４により凹溝３４３の長さ方向（即ち、作動軸Ｘ方向）に沿って移動する。該第１受動部材３４は、該枢着部２１２の該端２１２ｂの第１収容空間２１３内に限位され、且つ第１収容空間２１３上の第１凸ブロック２１４の凹溝３４３に収められることにより相対回転を防止し、但し、第１凸ブロック２１４を凹溝３４３の長さ方向（即ち、作動軸Ｘ方向）に沿って移動させることができる。
【００２２】
図１３Ａ、図１３Ｂを参照し、該第２受動部材３５は、相反方向を呈する２つの端３５ａ，３５ｂを有し、そのうち、第１の端３５ａは、該第１受動部材３４の接触部３４２に接触することに用いられ、第２の端３５ｂは、該第２構成部材２２の被せ合わせ部２２２の該端２２２ｂに接触することに用いられる。また、該第２受動部材３５は、該第２構成部材２２の被せ合わせ部２２２の該端２２２ｂの第２収容空間２２３上の第２凸ブロック２２４に対応して、該第２受動部材３５の軸方向（即ち、作動軸Ｘ方向）に沿って前記第２凸ブロック２２４と相互に合わさることができる少なくとも２つの凹溝３５１を設置し、第２凸ブロック２２４を凹溝３５１の長さ方向（即ち、作動軸Ｘ方向）に沿って移動させることができる。該第２受動部材３５は、該被せ合わせ部２２２のの該端２２２ｂの第２週空間２２３内に限位され、且つ第２収容空間２２３上の第２凸ブロック２２４の凹溝３５１に収容することによってそこが相対回転することを防止し、第２凸ブロック２２４に凹溝３５１の長さ方向（即ち、作動軸Ｘ方向）に沿って移動させることができる。
【００２３】
また、該第１受動部材３３の接触部３４２は、斜面３４４を含み、該斜面３４４によって該第１受動部材３４及び該第２受動部材３５の第１の端３５ａが接触する時にその接触の安定性を増進することができる。該第２受動部材３５の第１の端３５ａは、内向きの溝孔３５２を更に設け、該接触部３４２を収納させることができる。これにより、該第１受動部材３４及び該第２受動部材３５は、該接触部３４２によって該溝孔３５２と接続した後、好ましい接続効果を得ることができる。
【００２４】
該作動部材３３を作動する時、該作動部材３３の螺旋凸縁表面３３１は、該第１受動部材３４の螺旋凸縁表面３４１に接触することにより、該第１受動部材３４に噛み合い、同時に作動軸Ｘに沿って該第１受動部材３４を押し動かし、該第１受動部材３４により該第２受動部材３５を押し動かし、これにより、該第２受動部材３５の被せ合わせ部２２２の２つの端２２２ａ，２２２ｂを相対移動させ、且つ離れさせ、このように、該第２構成部材２２を拡張パッキングし、該第２構成部材２２を該第１構成部材２１に対してピボット回転させ、これにより、該枢着アセンブリ２０を固定する。
【００２５】
これにより、この実施例において、該作動部材３３を下向きに作動し、固定することに用い（図７Ａ参照）、且つ上向きに該作動部材３３に作動し、緩めることに用いる（図７Ａ参照）。
【００２６】
該第１受動部材３４の該作動部材３３の端上の螺旋凸縁表面３３１及び第１受動部材３４上の螺旋凸縁表面３３１と対称な螺旋凸縁表面３４１の間を接続する接触を維持する為、第１受動部材３４と第２受動部材３５との間、及び第２受動部材３５と第２構成部材との間の隙間は、該接合構成部材３１により占められる。
【００２７】
従って、この方式で発生する受動部材３３は、大きな力を伝えることができ、且つ運動を駆動させる時に更に直観的な操作により該第２構成部材２２の第１構成部材２１に対するピボット回転位置を調整することができるようにする。
【００２８】
従って、該固定アセンブリ３０は、該作動軸Ｘの周りを作動し、これにより、加えることが必要な作動力を減少し、同時に、該枢着アセンブリ２０（第１構成部材２１及び第２構成部材２２）に相対して根本的に突出しないか、小さい程度だけ突出し、これにより、傷害のリスクを減少する。
【００２９】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３０】
１０  ヘッドレスト
１１  前側部材
１１１  嵌合部
１１２  通孔
１１３  凹溝
１２  中間構成部材
１２１  被嵌合部
１２２  凸ブロック
１２３  突起
１３  後側構成部材
２０  枢着アセンブリ
２１  第１構成部材
２１１  固定部
２１２  枢着部
２１２ａ  端
２１２ｂ  端
２１３  第１収容空間
２１４  第１凸ブロック
２１５ａ  第１係止部
２１５ｂ  第２係止部
２１６ｂ  第２係止部
２２  第２構成部材
２２１  取り付け部
２２２  被せ合わせ部
２２２ａ  端
２２２ｂ  端
２２３  第２収容空間
２２４  第２凸ブロック
２２５  第３凸ブロック
３０  固定アセンブリ
３１  接合構成部材
３１１  第１接合部材
３１２  第２接合部材
３２  作動アセンブリ
３３  作動部材
３３ａ  端
３３ｂ  端
３３１  螺旋凸縁表面
３３２  第４凸ブロック
３４  第１受動部材
３４１  螺旋凸縁表面
３４２  接触部
３４３  凹溝
３４４  斜面
３５  第２受動部材
３５ａ  端
３５ｂ  端
３５１  凹溝
３５２  溝孔
４０  ダンピング機構
４１  ダンパー
４２  ラック
５０  ガイド限位機構
５１  位置決めブロック
５２  ストリップ孔
５３  位置決め部材
５４  接続部材
【図１】
0003205435.tif 000003
【図２】
0003205435.tif 000004
【図３】
0003205435.tif 000005
【図４】
0003205435.tif 000006
【図５】
0003205435.tif 000007
【図６】
0003205435.tif 000008
【図７Ａ】
0003205435.tif 000009
【図７Ｂ】
0003205435.tif 000010
【図８】
0003205435.tif 000011
【図９】
0003205435.tif 000012
【図１０】
0003205435.tif 000013
【図１１】
0003205435.tif 000014
【図１２Ａ】
0003205435.tif 000015
【図１２Ｂ】
0003205435.tif 000016
【図１３Ａ】
0003205435.tif 000017
【図１３Ｂ】
0003205435.tif 000018
【図１４Ａ】
0003205435.tif 000019
【図１４Ｂ】
0003205435.tif 000020
【手続補正書】
【提出日】平成28年5月19日(2016.5.19)
【手続補正１】
【補正対象書類名】実用新案登録請求の範囲
【補正対象項目名】全文
【補正方法】変更
【補正の内容】
【実用新案登録請求の範囲】
【請求項１】
形状が上下垂直軸方向から見て凹面であり、水平横軸方向から見て凸面であり、前側構成部材、後側構成部材及び該前側構成部材と該後側構成部材との間に設けられる中間構成部材１２を含み、該前側構成部材及び該中間構成部材は、一体に結合され、該後側構成部材の縦方向に対して上下移動することができ、該中間構成部材及び該後側構成部材１３の間にダンピング機構４０を設け、該前側構成部材及び該中間構成部材が該後側構成部材に対して上下移動する時、緩衝抵抗力を提供させ、該中間構成部材及び該後側構成部材の間にガイド限位機構を設け、該前側構成部材及び該中間構成部材が該後側構成部材に対して上下移動する時、ガイド限位効果を提供させる、ヘッドレストと、
一端に椅子の背に取り付け固定可能な固定部を設け、該固定部に対応する他端に枢着部を設け、該枢着部は間隔をおいて分離された２つの端を有する第１構成部材と、
一端にヘッドレストを取り付け固定可能な取り付け部を設け、該取り付け部に対応する他端に該枢着部に対応して被さり合う被せ合わせ部を設け、該被せ合わせ部に間隔をおいて分離された２つの端を有し、且つそれぞれ該第１構成部材の枢着部の２つの端と対応し、該被せ合わせ部及び該枢着部は、活動的にピボット回転でき、作動軸を軸心として該第１構成部材と相対回転させる第２構成部材と、
を含む枢着部材と、
該作動軸に沿って配置され、該第１構成部材の枢着部の２つの端を第２構成部材の被せ合わせ部の２つの端と一つに接続することに用いる接合構成部材と、
該第２構成部材の被せ合わせ部の２つの端を該作動軸に沿って相対して離れさせてパッキングを形成することができ、該接合構成部材に順に被さり合う作動部材、第１受動部材及び第２受動部材を含み、該作動部材は、該作動軸の周りをピボット回転することができ、該作動部材は、該第１受動部材３４により該第１構成部材２１の枢着部２１２の２つの端のうち一端に接続し、且つ該第２受動部材３５によって第２構成部材の被せ合わせ部の２つの端のうち一端に接続し、該作動部材は、相反する２つの端を有し、該作動部材の第１端は、該第１構成部材の枢着部の２つの端のうち第１の該端に接触することに用いられ、該作動部材の第２の端は、螺旋凸縁表面を設ける作動アセンブリと、
を含む固定アセンブリと、
を含むチェアヘッドレスト構造。
【請求項２】
前記固定アセンブリの作動部材、第１受動部材及び第２受動部材の間隔は、該作動部材、該第１受動部材及び該第２受動部材を作動する時、牽引力を該第２構成部材の被せ合わせ部の２つの端に加えることに適する請求項１に記載のチェアヘッドレスト構造。
【請求項３】
前記第１受動部材３４に接続する該第１構成部材の枢着部の２つの端のうち一端に第１収容空間を設け、該第１収容空間内に相互に間隔をおいた少なくとも２つの第１凸ブロックを設け、該第１受動部材は、該第１収容空間内の第１凸ブロックに対応し、該第１受動部材の軸方向に沿って該第１凸ブロックと互いに合わさることができる少なくとも２つの凹溝を設置する請求項１に記載のチェアヘッドレスト構造。
【請求項４】
前記第２受動部材に接続する該第２構成部材の被せ合わせ部の２つの端のうちの一端に第２収容空間を設け、該第２収容空間内に相互に間隔をおいた少なくとも２つの第２凸ブロックを設け、該第２受動部材は、該第２収容空間の第２凸ブロックに対応して該第２受動部材の軸方向に沿って該第２凸ブロックと相互に合わさることができる少なくとも２つの凹溝を設置する請求項１に記載のチェアヘッドレスト構造。
【請求項５】
該第１構成部材の枢着部の２つの端中の第２の該端に間隔をおいて第１係止部及び第２係止部を設け、該第２構成部材は、該枢着部の第２の該端の第１係止部及び第２係止部に対応する第３凸ブロックを設け、且つ該第３凸ブロックは、該枢着部の２つの端中の第２整理の該端の第１係止部及び第２係止部の回転経路上に位置する請求項１に記載のチェアヘッドレスト構造。
【請求項６】
前記第１構成部材の枢着部の２つの端中の第１の該端に間隔をおいて第１係止部及び第２係止部を設け、該作動部材の第１の端は、該枢着部の第１の該端の第１係止部及び第２係止部に対応する第４凸ブロックを設け、且つ該第４凸ブロックは、該枢着部の２つの端中の第１の該端の第１係止部及び第２係止部の回転経路上に位置する請求項１に記載のチェアヘッドレスト構造。
【請求項７】
前記第１受動部材は、相反する２つの端を有し、該第１受動部材の一端に螺旋凸縁表面を設け、該第１受動部材の螺旋凸縁表面は、該作動部材の螺旋凸縁表面と対向し、且つ該作動部材の該螺旋凸縁表面と該作動部材の該螺旋凸縁表面とが合わさるよう設計され、該第１受動部材の他端に接触部を設け、該第２受動部材の一端に接触することに用いられ、
該第２受動部材は、２つの端を有し、該第２受動部材の第１の端は、該第１受動部材の接触部に接触することに用いられ、該第２受動部材の第２の端は、該第２構成部材の被せ合わせ部の２つの端中の一端に接触することに用いられる請求項１に記載のチェアヘッドレスト構造。
【請求項８】
前記第１受動部材３４における軸方向断面は、該螺旋凸縁表面を設けた側から該接触部を設けた側への方向に沿って徐々に小さくなり、該第２受動部材の第１の端に更に、内向きの溝孔を設け、該第１受動部材の接触部を収納させることができる請求項７に記載のチェアヘッドレスト構造。
【請求項９】
前記接合構成部材は、一端が該第１構成部材の枢着部の２つの端を通過して該第２構成部材の被せ合わせ部の２つの端と接続する第１節合部材と、
ナットにより該第１節合部材の該端を螺合する第２節合部材と、
を含む請求項１に記載のチェアヘッドレスト構造。
【請求項１０】
前記前側構成部材は、相互に間隔をおいた少なくとも２つの嵌合部を設け、該嵌合部は、通孔を含み、該通孔の辺縁上に少なくとも１つの凹溝を設け、該中間構成部材は、該前側構成部材の嵌合部に対応して嵌合する少なくとも２つの被嵌合部を設け、該被嵌合部は、凸ブロックを含み、該凸ブロック上に該通孔の凹溝と相互に嵌合可能な少なくとも１つの突起を設け、該前側構成部材及び該中間構成部材は、嵌合部と被嵌合部によって相互に嵌合後に一体になる請求項１に記載のチェアヘッドレスト構造。
【請求項１１】
前記ダンピング機構は、少なくとも２つのダンパー及び少なくとも２つのラックを含み、各ダンパー及び各ラックは、互いに噛み合い、そのうち、該少なくとも２つのダンパーは、左右に間隔をおいて該中間構成部材の該後側構成部材に向いた一面に設置され、該少なくとも２つのラックは、該少なくとも２つのダンパーに対応して該後側構成部材の該中間構成部材に向いた一面に縦方向に設置される請求項１に記載のチェアヘッドレスト構造。
【請求項１２】
前記ガイド限位機構は、少なくとも２つの位置決めブロックと、少なくとも２つのストリップ孔と、を含み、前記位置決めブロックは、前記ストリップ孔を通過し、且つストリップ孔の長さ方向に沿って相対移動でき、そのうち、該少なくとも２つの位置決めブロックは、左右に間隔をおいて該後側構成部材の該中間構成部材に向いた一面に設置され、該少なくとも２つのストリップ孔は、該少なくとも２つの位置決めブロックに対応して該中間構成部材上に縦方向に設置され、該ガイド限位機構は、更に、少なくとも１つの位置決め部材を含み、該位置決め部材は、該位置決めブロックに相反し、該ストリップ孔の他側に配置され、更に接続部材を利用し、該位置決め部材と該位置決めブロックを一つに接続する請求項１に記載のチェアヘッドレスト構造。
【手続補正２】
【補正対象書類名】明細書
【補正対象項目名】０００７
【補正方法】変更
【補正の内容】
【０００７】
本考案のチェアヘッドレスト構造は、
形状が上下垂直軸方向から見て凹面であり、水平横軸方向から見て凸面であり、前側構成部材、後側構成部材及び該前側構成部材と該後側構成部材との間に設けられる中間構成部材１２を含み、該前側構成部材及び該中間構成部材は、一体に結合され、該後側構成部材の縦方向に対して上下移動することができ、該中間構成部材及び該後側構成部材１３の間にダンピング機構４０を設け、該前側構成部材及び該中間構成部材が該後側構成部材に対して上下移動する時、緩衝抵抗力を提供させ、該中間構成部材及び該後側構成部材の間にガイド限位機構を設け、該前側構成部材及び該中間構成部材が該後側構成部材に対して上下移動する時、ガイド限位効果を提供させる、ヘッドレストと、
一端に椅子の背に取り付け固定可能な固定部を設け、該固定部に対応する他端に枢着部を設け、該枢着部は間隔をおいて分離された２つの端を有する第１構成部材と、
一端にヘッドレストを取り付け固定可能な取り付け部を設け、該取り付け部に対応する他端に該枢着部に対応して被さり合う被せ合わせ部を設け、該被せ合わせ部に間隔をおいて分離された２つの端を有し、且つそれぞれ該第１構成部材の枢着部の２つの端と対応し、該被せ合わせ部及び該枢着部は、活動的にピボット回転でき、作動軸を軸心として該第１構成部材と相対回転させる第２構成部材と、
を含む枢着部材と、
該作動軸に沿って配置され、該第１構成部材の枢着部の２つの端を第２構成部材の被せ合わせ部の２つの端と一つに接続することに用いる接合構成部材と、
該第２構成部材の被せ合わせ部の２つの端を該作動軸に沿って相対して離れさせてパッキングを形成することができ、該接合構成部材に順に被さり合う作動部材、第１受動部材及び第２受動部材を含み、該作動部材は、該作動軸の周りをピボット回転することができ、該作動部材は、該第１受動部材３４により該第１構成部材２１の枢着部２１２の２つの端のうち一端に接続し、且つ該第２受動部材３５によって第２構成部材の被せ合わせ部の２つの端のうち一端に接続し、該作動部材は、相反する２つの端を有し、該作動部材の第１端は、該第１構成部材の枢着部の２つの端のうち第１の該端に接触することに用いられ、該作動部材の第２の端は、螺旋凸縁表面を設ける作動アセンブリと、
を含む固定アセンブリと、
を含む。
【手続補正３】
【補正対象書類名】明細書
【補正対象項目名】００２１
【補正方法】変更
【補正の内容】
【００２１】
図１３Ａ、図１３Ｂを参考とし、該第１受動部材３４は、相反方向を呈する２つの端を有し、該第１受動部材３４の該端（即ち、該作動部材３３の螺旋凸縁表面３３１へ向いた端）は、螺旋凸縁表面３４１を設け、該第１受動部材３４の螺旋凸縁表面３４１及び作動部材３３の螺旋凸縁表面３３１を対向させ、且つ設計により、該作動部材３３の螺旋凸縁表面３３１と合わせ、相反する他の該端に接触部３４２を設け、該第２受動部材３５の端に接触することに用いる。また、該第１受動部材３４は、該枢着部２１２の該端２１２ｂの第１収容空間２１３上の第１凸ブロック２１４に対応し、該第１受動部材３４の軸方向（即ち、作動軸Ｘ方向）に沿って前記第１凸ブロック２１４と相互に合わさることができる少なくとも２つの凹溝３４３を設置し、第１凸ブロック２１４により凹溝３４３の長さ方向（即ち、作動軸Ｘ方向）に沿って移動する。該第１受動部材３４は、該枢着部２１２の該端２１２ｂの第１収容空間２１３内に限位され、且つ第１収容空間２１３上の第１凸ブロック２１４の凹溝３４３に収められることにより相対回転を防止し、但し、第１凸ブロック２１４を凹溝３４３の長さ方向（即ち、作動軸Ｘ方向）に沿って移動させることができる。